(57)【要約】【課題】クッションとして用いることができる以外に、タブレット型電子機器をクッション内に設置して使用することもできるタブレット型電子機器を設置可能なクッション構造を提供する。【解決手段】タブレット型電子機器を設置可能なクッション構造は、クッション本体１を備える。クッション本体１は、当接面１１及び底面１２を有する。当接面１１には、槽底１３１を有する位置決め槽１３が凹設される。槽底１３１は、底面１２に対して傾いて設けられる。【選択図】図１
0003171185.tif 000002
【実用新案登録請求の範囲】
【請求項１】
クッション本体を備えるタブレット型電子機器を設置可能なクッション構造であって、
前記クッション本体は、当接面及び底面を有し、
前記当接面には、槽底を有する位置決め槽が凹設され、
前記槽底は、前記底面に対して傾いて設けられることを特徴とするタブレット型電子機器を設置可能なクッション構造。
【請求項２】
クッション本体を備えるタブレット型電子機器を設置可能なクッション構造であって、
前記クッション本体は、当接面及び底面を有し、
前記当接面には、槽底を有する位置決め槽が凹設され、
前記槽底は、前記底面に対して傾いて設けられ、
前記槽底又は側部は、放熱孔を有することを特徴とするタブレット型電子機器を設置可能なクッション構造。
【請求項３】
クッション本体及び蓋体を備えるタブレット型電子機器を設置可能なクッション構造であって、
前記クッション本体は、当接面及び底面を有し、前記当接面には、槽底を有する位置決め槽が凹設され、前記槽底は、前記底面に対して傾いて設けられ、
前記蓋体は、前記位置決め槽と形状が略同じであり、前記位置決め槽よりサイズが僅かに小さく、前記位置決め槽に前記蓋体を結合させることが可能であることを特徴とするタブレット型電子機器を設置可能なクッション構造。
【考案の詳細な説明】
【技術分野】
【０００１】
本考案は、タブレット型電子機器を設置可能なクッション構造に関し、特に、クッションとして用いることができる以外に、タブレット型電子機器をクッション内に設置して使用することもできるタブレット型電子機器を設置可能なクッション構造に関する。
【背景技術】
【０００２】
クッションは、家、会社などで使用されることが多い。クッションは、快適性を高めて疲労を減らすために、椅子に座って事務作業を行う際に背当て用クッションとして用いたり、家でテレビ又は本を見るときに寄りかかって用いたり、寝るときに枕の代わりとして用いたりすることもできる。
【０００３】
従来のクッションは、ユーザが座ったり寝たりするときの快適性を向上させることができるが、クッションとしての機能しかないため、クッション以外の機能を備えるクッションが求められていた。
【考案の概要】
【考案が解決しようとする課題】
【０００４】
本考案の第１の目的は、クッション本体にタブレット型電子機器を設置することにより、クッションとして用いることができる他、タブレット型電子機器を保護する機能をクッションに持たせたタブレット型電子機器を設置可能なクッション構造を提供することにある。
本考案の第２の目的は、クッション本体の位置決め槽内にタブレット型電子機器を設置すると、位置決め槽の槽底によりタブレット型電子機器が支えられて自然に傾くため、タブレット型電子機器を便利に操作することができるタブレット型電子機器を設置可能なクッション構造を提供することにある。
本考案の第３の目的は、クッション本体の当接面の位置決め槽内に位置決め部を設け、位置決め槽からタブレット型電子機器が外れることを防ぐことができるタブレット型電子機器を設置可能なクッション構造を提供することにある。
【課題を解決するための手段】
【０００５】
上記課題を解決するために、クッション本体を備えるタブレット型電子機器を設置可能なクッション構造であって、前記クッション本体は、当接面及び底面を有し、前記当接面には、槽底を有する位置決め槽が凹設され、前記槽底は、前記底面に対して傾いて設けられることを特徴とするタブレット型電子機器を設置可能なクッション構造が提供される。
【０００６】
上記課題を解決するために、クッション本体を備えるタブレット型電子機器を設置可能なクッション構造であって、前記クッション本体は、当接面及び底面を有し、前記当接面には、槽底を有する位置決め槽が凹設され、前記槽底は、前記底面に対して傾いて設けられ、前記槽底又は側部は、放熱孔を有することを特徴とするタブレット型電子機器を設置可能なクッション構造が提供される。
【０００７】
上記課題を解決するために、クッション本体及び蓋体を備えるタブレット型電子機器を設置可能なクッション構造であって、前記クッション本体は、当接面及び底面を有し、前記当接面には、槽底を有する位置決め槽が凹設され、前記槽底は、前記底面に対して傾いて設けられ、前記蓋体は、前記位置決め槽と形状が略同じであり、前記位置決め槽よりサイズが僅かに小さく、前記位置決め槽に前記蓋体を結合させることが可能であることを特徴とするタブレット型電子機器を設置可能なクッション構造が提供される。
【考案の効果】
【０００８】
本考案のタブレット型電子機器を設置可能なクッション構造は、以下（１）〜（３）の効果を有する。
（１）クッション本体にタブレット型電子機器を設置することにより、クッションとして用いることができる他、タブレット型電子機器を保護する機能をクッションに持たせることができる。
（２）タブレット型電子機器をクッション本体の位置決め槽内に設置すると、タブレット型電子機器が位置決め槽の槽底により支えられて傾いた状態となり、ユーザがタブレット型電子機器を便利に操作することができる。
（３）クッション本体の当接面の位置決め槽内に位置決め部が設置されているため、タブレット型電子機器が位置決め槽から外れる虞がない。
【図面の簡単な説明】
【０００９】
【図１】本考案の第１実施形態によるタブレット型電子機器を設置可能なクッション構造を示す斜視図である。
【図２Ａ】本考案の第１実施形態による位置決めするクッション構造に、タブレット型電子機器を取り付けたときの状態を示す斜視図である。
【図２Ｂ】本考案の第１実施形態による位置決めするクッション構造から、タブレット型電子機器を取り外すときの状態を示す斜視図である。
【図３】本考案の第１実施形態によるタブレット型電子機器を設置可能なクッション構造をクッション本体に取り付けたときの状態を示す模式図である。
【図４】本考案の第２実施形態によるタブレット型電子機器を設置可能なクッション構造を示す分解斜視図である。
【図５Ａ】本考案の第２実施形態によるタブレット型電子機器を設置可能なクッション構造を使用するときの状態を示す模式図である。
【図５Ｂ】本考案の第２実施形態によるタブレット型電子機器を設置可能なクッション構造を使用するときの状態を示す模式図である。
【図５Ｃ】本考案の第２実施形態によるタブレット型電子機器を設置可能なクッション構造を使用するときの状態を示す模式図である。
【図６】本考案の第３実施形態によるタブレット型電子機器を設置可能なクッション構造を使用するときの状態を示す模式図である。
【図７】本考案の第３実施形態によるタブレット型電子機器を設置可能なクッション構造を使用するときの状態を示す断面図である。
【図８Ａ】本考案の第４実施形態によるタブレット型電子機器を設置可能なクッション構造を使用するときの状態を示す分解斜視図である。
【図８Ｂ】本考案の第４実施形態によるタブレット型電子機器を設置可能なクッション構造を使用するときの状態を示す斜視図である。
【図９】本考案の第４実施形態によるタブレット型電子機器を設置可能なクッション構造を実際に使用するときの状態を示す斜視図である。
【図１０Ａ】本考案の第５実施形態によるタブレット型電子機器を設置可能なクッション構造を使用するときの状態を示す分解斜視図である。
【図１０Ｂ】本考案の第５実施形態によるタブレット型電子機器を設置可能なクッション構造を使用するときの状態を示す斜視図である。
【考案を実施するための形態】
【００１０】
以下、本考案の実施形態について図面に基づいて説明する。なお、これによって本考案が限定されるものではない。
【００１１】
（第１実施形態）
図１、図２Ａ及び図２Ｂを参照する。図１、図２Ａ及び図２Ｂに示すように、本考案の第１実施形態によるタブレット型電子機器を設置可能なクッション構造は、クッション本体１を備える。
【００１２】
クッション本体１は、当接面１１及び底面１２を有する。当接面１１と底面１２とは互いに表裏の関係で設けられている。当接面１１には、槽底１３１を有する位置決め槽１３が凹設されている。槽底１３１は、タブレット型電子機器３を見たり操作したりすることが容易にできるように、底面１２に対して傾いて設けられ、クッション本体１が損壊することを防ぐことができるように、クッション本体１が外表面２により覆われている。位置決め槽１３の槽底１３１又は槽壁上には、位置決め部１４が設けられている。この位置決め部１４は、タブレット型電子機器３の位置を固定して落ちることを防ぐ帯体でもよい。また、クッション本体１の位置決め槽１３の少なくとも一側部には、収納槽１５が設けられている。
【００１３】
タブレット型電子機器３は、クッション本体１の位置決め槽１３内に設置されると、位置決め槽１３により支えられるとともに、位置決め槽１３又は槽壁上に設けられた位置決め部１４により、タブレット型電子機器３を固定し（図２Ａ参照）、クッション本体１の位置決め槽１３から外れることを防ぐとともに、クッション本体１が発泡材料からなるため、タブレット型電子機器３が設置されたクッション本体１が落下したときでも、タブレット型電子機器３が損壊することはない。ユーザがタブレット型電子機器３を取り外す際は、位置決め部１４を外してから、クッション本体１の収納槽１５に指を入れるだけで（図２Ｂ参照）、タブレット型電子機器３を容易に取り外すことができる。このように、本考案のクッション構造は、タブレット型電子機器を迅速に着脱させることができる。
【００１４】
クッション本体１は、発泡材料、シリコーンゲル又は被覆充填体からなってもよい。
【００１５】
クッション本体１の位置決め槽１３は、底面１２に対して０〜９０度の角度で傾けられている。
【００１６】
位置決め部１４の位置決め帯体は、伸縮テープのような伸縮性を有してもよい。
【００１７】
当接面１１は、傾斜面、平面又は凹凸状の面でもよい。
【００１８】
底面１２は、傾斜面、平面又は凹凸状の面でもよい。
【００１９】
また、クッション本体１は、緩衝材又は弾性材（例えば、発泡体、シリコーンゲル、ラテックス、ジェルなどの材料）からなり、位置決め槽１３のサイズがタブレット型電子機器３より僅かに小さいため、タブレット型電子機器３は、クッション本体１の位置決め槽１３に密着され、位置決め槽１３から容易に外れることがない。
【００２０】
収納槽１５は、位置決め槽１３の両側に配置させることが好ましい。
【００２１】
図３を参照する。図３に示すように、クッション本体１の位置決め槽１３内にタブレット型電子機器３を設置し、タブレット型電子機器３を槽底１３１により支えると、ユーザは、自分の太股上、平面上又は斜面上で操作することが容易となる上、クッション本体１の当接面１１に手を接触させながら操作することができる。また、ユーザがタブレット型電子機器３を容易に見たり操作したりすることができるように、クッション本体１の底面１２に対して斜めに位置決め槽１３が設けられ、クッション本体１が発泡材料からなるため、当接面１１にユーザの手が当たっても快適に操作することができる。
【００２２】
（第２実施形態）
図４を参照する。図４に示すように、本考案の第２実施形態によるタブレット型電子機器を設置可能なクッション構造は、クッション本体を様々な態様で製作してもよい。例えば、長方体形状のクッション本体１’ の位置決め槽１３’の槽底１３１’は、底面１２’に対して傾いて設けられ、クッション本体１’が外表面２で覆われてから、槽底１３１’内には、位置決め部１４の代わりに面ファスナ１４’が設けられ、タブレット型電子機器３の底部には、面ファスナ１４’に対応するように面ファスナ３１が設けられ、タブレット型電子機器３を着脱自在に取り付けることができる。ここで、本考案は、クッション本体の底面に対して位置決め槽の槽底が傾いて設けられている限り、如何なる態様であっても本案の実用新案登録請求内に含まれる。
【００２３】
図５Ａ〜図５Ｃを参照する。図５Ａ〜図５Ｃに示すように、本考案の第２実施形態によるタブレット型電子機器を設置可能なクッション構造のクッション本体１は、タブレット型電子機器３を組み合わせないときは、大型のクッション、背当て用クッション、枕などとして用いることができる。クッション本体１は、椅子の上に置いて、当接面１１によりユーザの腰部を支えたり（図５Ａ参照）、ベッドの上に置いて、クッション本体１の当接面１１によりユーザの頭部及び頚部を支えたりするために用いる。位置決め槽１３は、ユーザの頭部を位置決めするために用いることができる。例えば、ユーザが横向きの姿勢で寝る際、耳が収納槽１５に位置するため、快適に寝ることができ（図５Ｂ参照）、クッション本体１を床に置いた場合、底面１２によりユーザの腰部、背中、首部及び頭部を支えることができる（図５Ｃ参照）。
【００２４】
（第３実施形態）
図６及び図７を参照する。図６及び図７に示すように、本考案の第３実施形態によるタブレット型電子機器を設置可能なクッション構造は、第１実施形態及び第２実施形態の構造と略同じであり、位置決め槽１３の槽底１３１又は側部に、外部と連通した１つ又は２つ以上の放熱孔１６が設けられている。タブレット型電子機器３の稼動により発生する熱を放熱孔１６から排出させたり、放熱孔１６中で冷たい空気を対流させることにより、タブレット型電子機器３の稼動により発生する熱を冷却し、タブレット型電子機器３を正常に稼動させることができる。他の構造は、図１又は図４と同じであるため、ここでは繰り返して述べない。
【００２５】
（第４実施形態）
図８Ａ、図８Ｂ及び図９を参照する。図８Ａ、図８Ｂ及び図９に示すように、本実施形態のタブレット型電子機器を設置可能なクッション構造は、第１実施形態〜第３実施形態と異なり、クッション本体１，１’の位置決め槽１３，１３’上に蓋体４を結合させる。この蓋体４の形状は、位置決め槽１３と略同じであり、位置決め槽１３より僅かに小さいため、クッションとして使用する際、位置決め槽１３に蓋体４を結合させることができる。第４実施形態の他の構造は、第１実施形態〜第３実施形態と同じであるため、ここでは繰り返して述べない。
【００２６】
また、スクリーン上の指紋、塵又は汚れを落とし、スクリーンを清潔で明るく保持するために、ユーザは、蓋体４を手で持ってタブレット型電子機器３のスクリーンを拭き取るために用いるワイパーを蓋体４の表面の一つに結合させてもよい。
【００２７】
蓋体４は、紐６又はロープにより位置決め槽１３，１３’に接続されているため、無くなる虞がない。
【００２８】
そのため、クッション本体１は、人体の腰部、背中、首部又は頭部を支える機能を有する他、タブレット型電子機器３を収納して保護する機能も有する。クッション本体１の位置決め槽１３内にタブレット型電子機器３を収納すると、見たり操作したりするのにちょうど良い傾き加減となる。
【００２９】
（第５実施形態）
図１０Ａ及び図１０Ｂを参照する。図１０Ａ及び図１０Ｂに示すように、本考案の第５実施形態によるタブレット型電子機器を設置可能なクッション構造は、第１実施形態〜第４実施形態と異なり、蓋体４上には、タブレット型電子機器３を位置決めするために用いる位置決め部１４が設置され、位置決め槽１３，１３’に蓋体４が結合されると、ユーザは、クッション本体１でタブレット型電子機器を操作することができる。第５実施形態の他の構造は、第１実施形態〜第４実施形態と同じであるため、ここでは繰り返して述べない。
【００３０】
上述したことから分かるように、本考案のタブレット型電子機器を設置可能なクッション構造は、従来技術と比べ、以下（１）〜（３）の長所を有する。
（１）クッション本体内にタブレット型電子機器を設置することができるため、クッション本体は、クッションとして用いることができる他、タブレット型電子機器を保護する機能も有する。
（２）タブレット型電子機器をクッション本体の位置決め槽内に設置すると、タブレット型電子機器が位置決め槽の槽底により支えられ、タブレット型電子機器を便利に操作することができる傾き加減となる。
（３）クッション本体の当接面の位置決め槽内に位置決め部が設けられているため、タブレット型電子機器が位置決め槽から外れる虞がない。
【００３１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３２】
１  クッション本体
１’  クッション本体
２  外表面
３  タブレット型電子機器
４  蓋体
５  ワイパー
６  紐
１１  当接面
１１’  当接面
１２  底面
１２’  底面
１３  位置決め槽
１３’  位置決め槽
１４  位置決め部
１４’  面ファスナ
１５  収納槽
１６  放熱孔
３１  面ファスナ
１３１  槽底
１３１’  槽底
【図１】
0003171185.tif 000003
【図２Ａ】
0003171185.tif 000004
【図２Ｂ】
0003171185.tif 000005
【図３】
0003171185.tif 000006
【図４】
0003171185.tif 000007
【図５Ａ】
0003171185.tif 000008
【図５Ｂ】
0003171185.tif 000009
【図５Ｃ】
0003171185.tif 000010
【図６】
0003171185.tif 000011
【図７】
0003171185.tif 000012
【図８Ａ】
0003171185.tif 000013
【図８Ｂ】
0003171185.tif 000014
【図９】
0003171185.tif 000015
【図１０Ａ】
0003171185.tif 000016
【図１０Ｂ】
0003171185.tif 000017